(57)【要約】      （修正有）【課題】カメムシ等の害虫を簡単に能率よく駆除できる害虫捕集具を提供する。【解決手段】平坦な底壁１と、底壁のエッジ部の反対側がすぼまったポケット部２とを有する塵取り形に形成され、ポケット部２のすぼまった方の先端にペットボトル６の口部６ａが接続可能な接続部３が設けてある。【選択図】図１
0003177036.tif 000002
【実用新案登録請求の範囲】
【請求項１】
平坦な底壁とポケット部とを有する塵取り形に形成され、ポケット部の先端にペットボトルの口部が接続可能な接続部が設けてあることを特徴とする害虫捕集具。
【請求項２】
接続部に開閉自在な蓋を有することを特徴とする請求項１記載の害虫捕集具。
【請求項３】
ほうきを着脱自在に備えていることを特徴とする請求項１又は２記載の害虫捕集具。
【考案の詳細な説明】
【技術分野】
【０００１】
本考案は、カメムシ等の害虫の捕集具に関する。
【背景技術】
【０００２】
山間部では春と秋にカメムシが多数屋内に侵入し、住人はその駆除に大変苦慮している。カメムシは、刺激すると異臭を放つため、手でつまんで駆除するのは容易ではない。
【考案の概要】
【考案が解決しようとする課題】
【０００３】
本考案は以上に述べた実情に鑑み、カメムシ等の害虫を簡単に能率よく駆除できる害虫捕集具の提供を目的とする。
【課題を解決するための手段】
【０００４】
上記の課題を達成するために請求項１記載の考案による害虫捕集具は、平坦な底壁とポケット部とを有する塵取り形に形成され、ポケット部の先端にペットボトルの口部が接続可能な接続部が設けてあることを特徴とする。
【０００５】
請求項２記載の考案による害虫捕集具は、請求項１記載の考案の構成に加え、接続部に開閉自在な蓋を有することを特徴とする。
【０００６】
請求項３記載の考案による害虫捕集具は、請求項１又は２記載の考案の構成に加え、ほうきを着脱自在に備えていることを特徴とする。
【考案の効果】
【０００７】
請求項１記載の考案による害虫捕集具は、平坦な底壁とポケット部とを有する塵取り形としたので、カメムシ等の害虫を簡単に能率よく捕えられ、捕えた害虫はポケット部先端の接続部よりペットボトル内に収納できるので、カメムシ等の害虫の駆除に優れた威力を発揮する。
【０００８】
請求項２記載の考案による害虫捕集具は、接続部に開閉自在な蓋を有しているので、蓋を閉めておくことで捕えた害虫が逃げることがない。
【０００９】
請求項３記載の考案による害虫捕集具は、ほうきを着脱自在に備えているため、床上にいる害虫をほうきを使って簡単に捕集できる。
【図面の簡単な説明】
【００１０】
【図１】本考案の害虫捕集具の一実施形態を示す正面図である。
【図２】同害虫捕集具の側面図である。
【図３】同害虫捕集具の使用状態を示す側面図である。
【図４】同害虫捕集具の他の使用状態を示す側面図である。
【考案を実施するための形態】
【００１１】
以下、本考案の実施の形態を図面に基づいて説明する。図１，２は、本考案の害虫捕集具１５の一実施形態を示している。この害虫捕集具１５は、プラスチックで形成されており、平坦で幅広の底壁１と漏斗状のポケット部２とを有する塵取り形に形成されている。本害虫捕集具１５の幅Ｗは、約１０〜１５ｃｍとなっている。ポケット部２は、図２に示すように、開口縁部２ａが底壁１に対して斜めに傾斜して形成されている。底壁１のエッジ部１ａは、とがった状態に形成され、ポケット部２から少し突出している。
【００１２】
ポケット部２の先端には、ペットボトル６の口部６ａが接続可能な接続部３が設けてある。接続部３には、中心に孔７が形成してあり、孔７の内面にはペットボトル６の口部６ａのネジが捩じ込まれる雌ネジが形成してある。また接続部３には、レバー８を操作することで前記孔７を開閉できる蓋４を備えている。
【００１３】
さらに本害虫捕集具１５は、ポケット部２の表面に爪状のほうきホルダー部９が設けてあり、ほうきホルダー部９に引っ掛けてほうき５が着脱自在に設けてある。
【００１４】
この害虫捕集具１５は、接続部３にペットボトル６を接続して使用する。図３は、壁１０にとまっているカメムシ１１を駆除するときの状態を示しており、蓋４は開いた状態とし、底壁１のエッジ部１ａを壁１０に当接させて下から上に滑らせることで、壁１０にとまったカメムシ１１がポケット部２内に落ち、その後、接続部３の孔７を通じてペットボトル６内に落ちる。全てのカメムシ１１を捕えたら、蓋４を閉じた状態にする。これにより捕まえたカメムシ１１がペットボトル６から出ることがない。なお、ペットボトル６内に水や洗剤等を入れておけば、捕えたカメムシ１１を窒息死させることができる。その後、害虫捕集具１５をペットボトル６から外し、ペットボトル６を逆さにして屋外等にカメムシ１１を捨てる。こうして、全く手を触れることなくカメムシ１１を簡単に能率よく駆除することができる。
図４は、床１３上で殺したゴキブリ１４を捨てる場合を示しており、このときにはポケット部２に取付けてあるほうき５を取り外し、底壁１のエッジ部１ａを床１３に当接させて、ほうき５でゴキブリ１４を塵取り形の害虫捕集具１５に掃きいれる。その後、ゴキブリ１４をゴミ入れ等に捨てる。
【００１５】
以上に述べたように、本考案の害虫捕集具１５は、平坦な底壁１と漏斗状のポケット部２とを有する塵取り形としたので、カメムシ等の害虫１１，１４を簡単に能率よく捕えられ、捕えた害虫１１，１４はポケット部２先端の接続部３よりペットボトル６内に収納できるので、カメムシ等の害虫１１，１４の駆除に優れた威力を発揮する。底壁１のエッジ部１ａをとがった状態にしてポケット部２から突出させ、且つポケット部２の開口縁部２ａを底壁１に対して斜めに傾斜させてあるため、害虫１１，１４をすくい取るのが一層容易となっている。さらに、ほうき５を着脱自在に備えており、ほうき５を使うことで床上の害虫１１，１４も容易に捕集できる。また、接続部３に開閉自在な蓋４を備えているので、蓋４を閉めることで捕えた害虫１１，１４が逃げることがない。
【００１６】
本考案は以上に述べた実施形態に限定されない。本考案の害虫捕集具１５は、塵取り形に形成されていればよく、具体的な形状、大きさ、材質等は、適宜変更することができる。ペットボトルの大きさや形は任意であり、飲料や洗剤等が入っていたペットボトルを利用してもよいし、本害虫捕集具のために専用に形成したものであってもよい。また捕える害虫は、カメムシとゴキブリに限ったものではなく、それ以外にも例えばハチ、ハエ、ムカデ、クモ、アリ、毛虫等を駆除する際にも威力を発揮する。
【符号の説明】
【００１７】
１  底壁
２  ポケット部
３  接続部
４  蓋
５  ほうき
６  ペットボトル
【図１】
0003177036.tif 000003
【図２】
0003177036.tif 000004
【図３】
0003177036.tif 000005
【図４】
0003177036.tif 000006
【手続補正書】
【提出日】平成24年5月15日(2012.5.15)
【手続補正１】
【補正対象書類名】実用新案登録請求の範囲
【補正対象項目名】請求項１
【補正方法】変更
【補正の内容】
【請求項１】
平坦な底壁と、底壁のエッジ部の反対側がすぼまったポケット部とを有する塵取り形に形成され、ポケット部のすぼまった方の先端にペットボトルの口部が接続可能な接続部が設けてあることを特徴とする害虫捕集具。
【手続補正２】
【補正対象書類名】明細書
【補正対象項目名】０００４
【補正方法】変更
【補正の内容】
【０００４】
上記の課題を達成するために請求項１記載の考案による害虫捕集具は、平坦な底壁と、底壁のエッジ部の反対側がすぼまったポケット部とを有する塵取り形に形成され、ポケット部のすぼまった方の先端にペットボトルの口部が接続可能な接続部が設けてあることを特徴とする。